(57)【特許請求の範囲】
【請求項１】
折曲線の両側に互いに接面可能で略同形のプラスチックシート体を連設し、一方のプラスチックシート体の外側縁より若干内側位置に切取線を形成して外側縁と切取線との間を切取片とし、他方のプラスチックシート体の外側に折曲線を中心にして上記一方のシート体の外側縁と略線対称の位置に縁折線を形成し、縁折線の外側に該縁折線を折り返した状態において切取片を挟んで切取片外側面に接合可能な若干幅の折返片を延設し、両プラスチックシート体の切取線及び縁折線の内側の各シート面内に互いに合致し得る物品収納用凹部を形成してなる構成を有するプラスチック成形体。
【請求項２】
前記いずれか一方の物品収納用凹部の周縁に凸枠部を形成すると共に、他方の物品収納用凹部の周縁に上記凸枠部と互いに嵌合可能な凹枠部を形成してなる請求項１に記載のプラスチック成形体。
【請求項３】
前記折曲線両側のプラスチックシート体に、若しくはプラスチックシート体の物品収納用凹部の外側部分に、折曲線で二つ折りしてシート面を互いに接面した状態において外側に至るほど離反する方向の若干の反りを与えてなる構成を有する請求項１又は２に記載のプラスチック成形体。
【請求項４】
請求項１〜３のいずれかに記載のプラスチック成形体を折曲線で二つ折りすると共に、折返片を縁折線で折り返して切取片の外側面に接合するようにしてなることを特徴とするプラスチック包装体。
【発明の詳細な説明】
【０００１】
【発明の属する技術分野】
本発明は化粧品、筆記具等の小物を収納するのに好適なプラスチック成形体及び包装体に関する。
【０００２】
【従来の技術】
化粧品等の小物を収納する容器としては、通常、プラスチックシートを収納物の形状に合わせて成型し、商品を充填した後その裏側を片面に模様や色柄等の印刷を施した厚紙で被覆したブリスターパックと称されるものが使用されている。このブリスターパックは厚紙に商品取出し用のミシン目が形成されているのが一般的であり、小売店では口紅など小物であるとはいえ高額の商品を収納し、パックごとフックに吊り下げて販売しているところが多いようである。
【０００３】
【発明が解決しようとする課題】
しかしながら、このブリスターパックは厚紙にミシン目が形成されているためミシン目を破って中身を抜き取り、パックをそのままにして持ち出すという犯罪の格好の目標とされ、近年深刻な社会問題となっている。
【０００４】
つまり、パックごと持ち出された場合は警報ブザー等の防犯装置で対処することができるものの、パックをそのままにして中身を持ち出された場合は厚紙で裏側を被覆したために一見しただけでは中身が抜き取られたことが分かり難く、防犯装置も作動しないので、現状では手の打ちようがないからである。
【０００５】
そこで、本発明は上記の問題解決を図るべくなされたもので、その目的とするところは商品の収納状態を確実に維持することができるだけでなく、印刷適性に優れた美麗な容器用のプラスチック成形体と、その成形体からなるプラスチック包装体を提供せんとするものである。
【０００６】
上記課題の解決を図るために、折曲線の両側に互いに接面可能で略同形のプラスチックシート体を連設し、一方のプラスチックシート体の外側縁より若干内側位置に切取線を形成して外側縁と切取線との間を切取片とし、他方のプラスチックシート体の外側に折曲線を中心にして上記一方のシート体の外側縁と略線対称の位置に縁折線を形成し、縁折線の外側に該縁折線を折り返した状態において切取片を挟んで切取片外側面に接合可能な若干幅の折返片を延設し、両プラスチックシート体の切取線及び縁折線の内側の各シート面内に互いに合致し得る物品収納用凹部を形成してなる構成を有するプラスチック成形体を特徴とするものである。
【０００７】
折曲線、切取線、縁折線はいずれも肉薄筋条、ミシン目、その他の構成とすることができる。また切取線は切取可能な構成とするのが好ましい。
【０００８】
またいずれか一方の物品収納用凹部の周縁に凸枠部を形成すると共に、他方の物品収納用凹部の周縁に上記凸枠部と互いに嵌合可能な凹枠部を形成してなるプラスチック成形体とするのが好ましい。
凸枠部と凹枠部とは物品収納用凹部の全周囲に渡って形成することができ、その一部に形成したものでも良い。
【０００９】
折曲線両側のプラスチックシート体に、若しくはプラスチックシート体の物品収納用凹部の外側部分に、折曲線で二つ折りしたシート面の接合状態において外側に至るほど離反する方向の若干の反りを与えてなる構成を有するプラスチック成形体とすれば一層好ましいものとなる。
【００１０】
さらに本発明は上記いずれかのプラスチック成形体を折曲線で二つ折りすると共に、折返片を縁折線で折り返して切取片の外側面に接合するようにしてなるプラスチック包装体を特徴とするものである。
接合するには接着剤による接着、熱融着等によりすることができる。
【００１１】
【発明の実施の形態】
以下、本発明の好適な実施形態を図面を参照して説明する。
図１は本発明のプラスチック成形体１を展開した状態の正面図である。
プラスチック成形体１は未延伸ＰＥＴ、ポリ塩化ビニル、ポリプロピレン、ポリスチレン、ポリカーボネイト樹脂等の透明な熱可塑性プラスチックからなる適度な強度を有するプラスチックシートを用いてあり、シート地の厚さは100 ミクロン〜1000ミクロン程度のものが好ましい。
【００１２】
プラスチック成形体１は真空、圧空成形或いは加熱、プレス成形等によりそれぞれ概ね同形状の細長い矩形状シート体２、３を設けると共に、シート体２、３の境界となる部分にその長手方向に沿った折曲線４を設け、シート体２と３とを互いに接面可能に形成してある。
【００１３】
シート体２はシート体３との接合面をシート面２ａ（図１では紙面の裏側に相当する）とし、折曲線４と平行状の切取線２ｂを外側縁より若干内側に設け、外側縁と切取線２ｂとの間の部分を切取片２ｃとしてある。またシート面２ａの切取線２ｂより内側に短手辺の一方から長手方向の略中間部まで折曲線４と平行状に連続する断面半円形状の物品収納用凹部５（図１の紙面の表側に突出する）を形成し、他方の短手辺近傍に任意形状の係止孔２ｄを形成してある。そして、当該凹部５の周縁のうち、切取線２ｂ及び係止孔２ｄとそれぞれ対向する部分にシート面２ａから凹部５の深さよりも低い高さで突出する凸枠部５ａを形成してある。
【００１４】
シート体３はシート体２との接合面をシート面３ａ（図１では紙面の裏側に相当する）とし、その外側に折曲線４を中心にシート体２の外側縁と略線対称の位置に形成した縁折線３ｂを介して若干幅の折返片３ｃを延設してある。また、シート面２ａとシート面３ａとを接合した時に、物品収納用凹部５と合致し得る物品収納用凹部６（図１では紙面の表側に突出する）を形成すると共に、凸枠部５ａと合致し得る凹枠部６ａを凸枠部５ａの高さに略合致する深さにシート面３ａを凹ませて形成し、折曲線４を中心として係止孔２ｄと線対称となる位置に係止孔３ｄを形成してある。
【００１５】
また折曲線４からシート体２の外側縁までの短手幅Ｗ１は折曲線４から折返片３ｃの外側縁までの短手幅Ｗ２よりも折返片３ｃの短手幅Ｗ３の分だけ狭めるようにしてある。
【００１６】
以上の構成からなるプラスチック成形体１は図２及び図２のIV-IV 線断面図である図４に示すような物品収納用の包装体７とすることができる。すなわち、図１のIII-III 線断面図である図３に示すように、凹部５または凹部６のいずれかに所定の物品ａ（図示した例では口紅を想定している）を収納した上で折曲線４を境にしてシート体２とシート体３とを折返し、凸枠部５ａを凹枠部６ａに嵌合してシート面２ａとシート面３ａとを接合する。そして、シート面２ａとシート面３ａとの重合部分のうち、外側縁辺に沿って熱シールや接着剤による接着等すれば物品ａを収納した図２及び図４に示す包装体７を完成することができる。
【００１７】
しかも、成形体１は折返片３ｃを折曲げる前に折返片３ｃのシート面３ａ側の面にシール用の接着剤を所定量塗布してから縁折線３ｂに沿ってシート面３ａ側に折返した後、図５に示す如く、折返片３ｃと切取片２ｃとの重合部分を上下両面から押圧するようにすれば、両者を接着して一体化することができる。これにより包装体７の密封状態をより確実なものとすることができ、収納物品ａを抜き取るという犯罪行為を未然に防止することができるものである。なお切取片２ｃと折返片３ｃとの接着方法は通常の熱シールでも良いことはいうまでもない。
【００１８】
この場合、シート面２ａとシート面３ａには凹部５、凹部６を形成していない部分が広い平坦面として残されているので、当該平坦面に美麗な印刷を施すことによって消費者の嗜好にマッチしたセンス溢れる包装体７とすることができるものである。また、成形体１自体が透明であることから、できあがった包装体７自体も透明であり、中身の視認性も極めて良好である。なお、係止孔２ｄと係止孔３ｄとが重なって得られる係止孔にフックを通すことによって完成後の包装体７を引っかけておくことができる。
【００１９】
一方、消費者が中身の収納物品ａを取り出す場合はシート体２、３が二枚重ね状になっているため取り出し難いと感じることが予想される。このため、シート体２に切取線２ｂを設けたものである。これにより、包装体７は図５に示す如くシート体３、縁折線３ｂ及び折返片３ｃと、これらによって挟まれた切取片２ｃとによる切除部８を形成することができる。
【００２０】
この切除部８は全体の厚みがシート体２，３その他の部分より厚いため高度な剛性を持ち得ると共に、切取線２ｂに沿ってカッターや爪先等でシート体２にきずを付けることによって二分し、包装体７を容易に開封することができる。
【００２１】
また、切取部８を引きちぎり、包装体７の中身を抜き取ろうとすれば必然的に包装体７自体の破壊、開放を招くことになる。この場合、店員や警備員の発見が容易となるので、犯罪の減少に寄与することになる。
【００２２】
さらに、以上の包装体７はシート面２ａ，３ａが凹部５、凹部６に比較して広範であるため、成形体１を成形する際には特別の注意が必要である。なぜならシート体２及びシート体３を二つ折りして包装体７を形成すると、成型時の歪みが原因でシート面２ａ，３ａ間に隙間が生じ、当該隙間からごみや埃が入ってしまうおそれがあるからである。
【００２３】
これを除去するには第６図に示すごとく、成型金型の形状を若干変更してできあがる成形体１のシート体２及びシート体３が各々のシート面２ａ，３ａと反対方向に反返る反り角αを設けるようにすれば良い。こうして成型された成形体１を二つ折りにすると、図７に示す如くシート体２及びシート体３の外側ほど隙間が生じるが、折返片３ｃを折曲げて切取片２ｃの外側に接着すると、上記反り返りの反力によりシート面２ａ，３ａが互いに密接するようになるからである。この場合の反り角αは10mmにつき0.3 mmから2.0 mm程度であれば良い。
【００２４】
なお、上記切取線２ｂ、縁折線３ｂ、折曲線４はいずれも肉厚を薄くして形成した筋条、ミシン目等その他の構成とすることができる。また切取線２ｂの場合は爪先で傷を付けて二分できるように若干肉厚を薄くした筋条が好ましい。
【図面の簡単な説明】
【図１】本発明のプラスチック成形体を示す平面図である。
【図２】本発明のプラスチック成形体を組立ててなる包装体を示す正面図である。
【図３】図１のIII ーIII 線断面図である。
【図４】図２のIVーIV線断面図である。
【図５】包装体の接着部分を示す部分拡大斜視図である。
【図６】別の成形体を示す断面図である。
【図７】図６の成形体の折曲げ状態を示す断面図である。
【符号の説明】
１      プラスチック成形体
2,3     シート体
2a,3a   シート面
2b      切取線
2c      切取片
3b      縁折線
3c      折返片
４      折曲線
5,6     物品収納用凹部
5a      凸枠部
6a      凹枠部
７      包装体
【図１】
0003732261.tif 000002
【図２】
0003732261.tif 000003
【図３】
0003732261.tif 000004
【図４】
0003732261.tif 000005
【図５】
0003732261.tif 000006
【図６】
0003732261.tif 000007
【図７】
0003732261.tif 000008